(57)【要約】【課題】  必要に応じて必要な大きさの棚札を印字発行できるようにした棚札発行システムおよび棚札発行方法の提供。【解決手段】  店員が店内で携帯端末８を持って巡回し、新たな棚ラベルが必要になったときに、商品４に付された商品ラベル１４の商品コードを読み取り、ホストコンピュータ１３の商品マスターファイル１５から商品名、価格を含む商品情報を検索する。次いで、端末８にて印字発行する棚札のフォーマット情報を選択し、選択したフォーマット情報と商品情報とを組み合わせてラベルプリンタ２０に転送し、目的のフォーマットで棚札を印字発行する。【選択図】        図４
2007038411.tif 000002
【特許請求の範囲】
【請求項１】
店員が店内で携行可能な携帯端末と、該携帯端末にて読み取られた商品ラベルのディジタルコードから少なくとも商品名、価格を含む商品情報を検索する商品情報検索手段と、前記携帯端末にて印字発行する棚札のフォーマット情報を複数の候補から選択し、選択したフォーマット情報と前記商品情報とを組み合わせ、印字装置に転送して目的のフォーマットで棚札を印字発行する棚札発行システムにおいて、前記印字装置は一定幅の裏面に粘着剤を備えた連続用紙に、各フォーマットに応じた長さで印字した後、用紙を切断するカッター装置を備えたラベルプリンタであることを特徴とする棚札発行システム。
【請求項２】
前記ラベルプリンタは携帯端末と無線ＬＡＮで接続され、前記フォーマット情報は携帯端末またはラベルプリンタに格納されていることを特徴とする請求項１に記載の棚札発行システム。
【請求項３】
前記ラベルプリンタは店員が店内で携行可能な携帯型ラベルプリンタであることを特徴とする請求項１または２に記載の棚札発行システム。
【請求項４】
店員が店内で携行可能な携帯端末を使用し、該携帯端末にて商品ラベルのディジタルコードを読み取る工程と、前記ディジタルコードから少なくとも商品名、価格を含む商品情報を検索する商品情報検索工程と、前記携帯端末にて印字発行する棚札のフォーマット情報を複数の候補から選択する工程と、選択したフォーマット情報と前記商品情報とを組み合わせて印字装置に転送し、目的のフォーマットで棚札を印字発行する棚札発行工程とからなり、前記印字装置として一定幅の裏面に粘着剤を備えた連続用紙に、各フォーマットに応じた長さで印字した後、用紙を切断するカッター装置を備えたラベルプリンタを用いることを特徴とする棚札発行方法。
【発明の詳細な説明】
【技術分野】
【０００１】
本発明は、スーパーマーケットなどの店舗の陳列棚に並べた商品の名称、値段、規格などを表示する棚札（棚ラベル）を発行する棚札発行システムおよび棚札発行方法に関し、特に、店員等が必要に応じて店内の棚の前で発行操作を行い得る棚札発行システムおよび棚札発行方法に関する。
【背景技術】
【０００２】
一般に、スーパーマーケットなどで商品を陳列する陳列棚は図５のようになっている。
該陳列棚１の各棚板２の前面には、各棚板の位置に応じて大きさの異なる粘着ラベルからなる棚札３が貼付されている。
【０００３】
各棚札３は棚の下段、中段、上段となるに従い、大、中、小サイズのラベルが用いられ、買い物客の目線と陳列される商品のサイズに対応している。即ち、商品コード、商品名、価格など、印字される商品情報の種類は皆共通であるが、棚の上段には、新商品、定番商品、小型商品が陳列され、小型のラベルに小さなフォントが用いられる。棚の中段には、上段とほぼ同様の、中型商品が陳列され、中型のラベルに中位のフォントが用いられる。棚の下段は、売れ筋品、大型商品が陳列され、大型のラベルに大きなフォントが用いられる。
【０００４】
そして従来、スーパーマーケットなどでは、これらの棚札は印刷業者に外注して印刷済みのラベルを納品させていた。
【０００５】
なお、ラベルプリンタを用いて店内で棚札を発行するものとして、特許文献１が知られている。
【０００６】
【特許文献１】特開２００２−３２３８５５号公報
【発明の開示】
【発明が解決しようとする課題】
【０００７】
しかしながら、従来の方法によると落札（棚札が落ちること）や、棚替えのための貼り替えなどで棚札のロスが生じ易く、印刷業者の納期がかかるなど、コストがかかり使い勝手の悪いものであった。
【０００８】
他方、例えば普通紙の紙片を使用する差し込み式ホルダーが設けられた陳列棚なども知られているが、商品の陳列場所や価格、表示内容は季節、流行、棚卸しやバーゲンセールなどで刻々変化するものである。従って、単に棚札を差替えるだけでは足りず、同一の商品でも印字フォーマットの異なる棚札が必要となり、棚表示を容易に迅速に変更するのに適したものは無かった。
【０００９】
本発明は上記従来技術の問題に鑑みなされたもので、その目的は必要に応じて必要な大きさの棚札を任意の内容で印字発行できるようにした棚札発行システムおよび棚札発行方法を提供することにある。
【課題を解決するための手段】
【００１０】
上記課題を解決するため、本発明の棚札発行システムが採用する構成の特徴は、店員が店内で携行可能な携帯端末と、該携帯端末にて読み取られた商品ラベルのディジタルコードから少なくとも商品名、価格を含む商品情報を検索する商品情報検索手段と、前記携帯端末にて印字発行する棚札のフォーマット情報を複数の候補から選択し、選択したフォーマット情報と前記商品情報とを組み合わせ、印字装置に転送して目的のフォーマットで棚札を印字発行する棚札発行システムにおいて、前記印字装置は一定幅の裏面に粘着剤を備えた連続用紙に、各フォーマットに応じた長さで印字した後、用紙を切断するカッター装置を備えたラベルプリンタであることにある。
【００１１】
ここで、前記ラベルプリンタは携帯端末と無線ＬＡＮで接続され、前記フォーマット情報は携帯端末またはラベルプリンタに格納されていることが好ましい。
【００１２】
また、前記ラベルプリンタは店員が店内で携行可能な携帯型ラベルプリンタとするのが好ましい。
【００１３】
また、本発明に係る棚札発行方法は、店員が店内で携行可能な携帯端末を使用し、該携帯端末にて商品ラベルのディジタルコードを読み取る工程と、前記ディジタルコードから少なくとも商品名、価格を含む商品情報を検索する商品情報検索工程と、前記携帯端末にて印字発行する棚札のフォーマット情報を複数の候補から選択する工程と、選択したフォーマット情報と前記商品情報とを組み合わせて印字装置に転送し、目的のフォーマットで棚札を印字発行する棚札発行工程とからなり、前記印字装置として一定幅の裏面に粘着剤を備えた連続用紙に、各フォーマットに応じた長さで印字した後、用紙を切断するカッター装置を備えたラベルプリンタを用いることを特徴とする。
【００１４】
上記手段によれば、必要な棚札の発行に必要な商品データを、陳列棚の商品に付された値札の商品コードから携帯端末によって検索し、フォーマット情報を選択して指定することによりラベルプリンタから発行できるので、必要な棚札を店内で必要な数だけ即時に入手でき、コストダウンも図れる。これにより、例えば売れ筋商品が不足した場合などでも陳列の形態を即時に変更でき、店舗スペースを有効活用できる。
【００１５】
また、ラベルプリンタとして店員が携行可能な携帯型のものを用いると、棚札が必要な棚の前で即時に必要な棚札を入手することができる。従って、据置型のラベルプリンタを使用する場合に比べ、印字発行後の棚札を取り違える危険性を解消でき、作業時間の節約にもなる。
【発明の効果】
【００１６】
本発明の請求項１〜４に記載の棚札発行システムおよび棚札発行方法によれば、店員の操作で必要な時に必要な大きさの棚札がすぐに入手できるので、棚札のロスの削減、納期の短縮、経費節減が図られる。
【００１７】
また、店舗に必ず備え付けの値段付けやバーコード印字用のラベルプリンタや携帯端末を用いて棚札発行システムが構築できるという優れた効果を奏する。
【発明を実施するための最良の形態】
【００１８】
以下、本発明の実施の形態を図１ないし図４を用い説明する。なお、上述した従来の技術と共通する構成要素には同一符号を付し、その説明を省略する。
【００１９】
まず、図１はスーパーマーケットの売場を示す上面図である。売場にはデイリー（乳製品）、ドライ（乾物）、雑貨、など、複数の陳列棚１が並べられ、その間に店員や買い物客が通行する通路５が形成されている。そして、各陳列棚１の棚板には、図２に示すようなサイズの異なる複数種の棚札１０，１１，１２が貼付されている。６は精算を行うレジ、７は包装や返品などを行うサービスカウンターである。
【００２０】
８は店員が携行する携帯端末であり、該携帯端末８は各商品４に貼られた商品ラベル（値札）１４に印字されたＪＡＮコード等のディジタルコード１４Ａを読み取るスキャナ、表示画面、キーボードまたはタッチパネルなどの操作部、ホストコンピュータ１３等と接続する無線ＬＡＮなどを備えている。ホストコンピュータ１３内には商品コード、商品名、価格などの商品情報を記録した商品マスターファイル１５が格納され、携帯端末８から商品コードを送信することにより特定の商品情報を検索する商品情報検索手段を構成している。
【００２１】
なお、値札１４は、各商品４ごとに貼付されるもので、表示内容は棚札１０などとほぼ同様であるが、印字フォーマットは商品の種類に応じて画一的なものとなっている。本システムは値札の印字発行に用いることも可能であるし、類似の構成からなる値札発行用のシステムを利用して本システムを構築することも可能である。
【００２２】
携帯端末８の記憶装置内には、大、中、小の各棚札１０、１１、１２に対応するフォーマット情報ファイル１６が記憶されている。携帯端末８では、棚札を印字発行する際に、このフォーマット情報を印字データと共にラベルプリンタ９に転送することもできるし、後述するように、予めラベルプリンタ８内にフォーマット情報ファイル１６が記憶されていれば、フォーマット情報を指定するコマンドだけを送信して棚札を印字発行することもできる。印字データは携帯端末８からの検索コマンドでホストコンピュータ１３よりラベルプリンタ９に転送される。
【００２３】
９はサービスカウンター７に設置されたラベルプリンタであり、該ラベルプリンタ９は一定幅の裏面に粘着剤を備えた連続用紙に、各フォーマットに応じた長さで印字した後、用紙を切断するカッター装置を備えている。
【００２４】
また、前記ラベルプリンタ９は、内部のＥＥＰＲＯＭ（またはＦＬＡＳＨＲＯＭ）などの不揮発性記憶手段に例えば棚札１０，１１，１２に対応する印字フォーマット情報を格納することが可能となっている。そして、ラベルプリンタ９は前記携帯端末８と無線ＬＡＮで接続されたホストコンピュータ１３に接続されており、ホストコンピュータ１３を介して携帯端末８による印字発行を行うようになっている。
【００２５】
大、中、小の各棚札１０、１１、１２は、図２に示すように、幅が同一であり、印字フォーマットに従いその長さが異なる。これは、同一幅の連続する印字用紙にそれぞれのフォーマットで印字を行い、カッター装置で切断することにより形成される。前記印字用紙は裏面の粘着剤が台紙で覆われ、ロール状に巻回されたものがラベルプリンタ９に装着されている。
【００２６】
棚札２の幅は棚の上、中、下段で同一であり、陳列商品４の大きさが上段から下段に向かって大型化するので、連続用紙に印字してカットすることにより異なる大きさの棚札を発行するのにもラベルプリンタ９に単一の用紙を装着したままで済む。
【００２７】
本実施の形態は以上のようなものであって、店員が店内を回り、棚札が紛失しているのを発見したり棚出しする商品の構成が変わり棚札のサイズを変更する場合には陳列された商品４の値札１４のバーコード１４Ａを携帯端末８で読み取り、その商品コードをホストコンピュータ１３で検索する。次いで棚札のフォーマット（大、中、小）を指定して必要な棚札を印字発行する。必要な棚札の発行操作が済んだら、店員はサービスカウンター７に棚札を受け取りに行く。
【００２８】
かくして、本実施の形態によれば、必要な棚札の発行に必要な商品データを、陳列棚の商品に付された値札の商品コードから携帯端末によって検索し、フォーマット情報を選択して指定することによりラベルプリンタから発行することができるので、必要な棚札を店内で必要な数だけ即時に入手でき、コストダウンも図れる。これにより、例えば特定の商品が不足した場合などでも陳列の形態を即時に変更でき、店舗スペースを有効活用できる。
【００２９】
次に、図４は他の実施の形態を示すシステム構成図であり、本実施の形態の特徴は、ラベルプリンタとして店員が店内で身体に装着して携行可能な携帯型ラベルプリンタを使用する点にある。
【００３０】
該ラベルプリンタ２０はバッテリーを内蔵し、クリップ２１でズボンのベルトなどに装着して使用できる小型のものである。そして、該ラベルプリンタ２０は、携帯端末８とは有線、赤外線、微弱電波による無線など各種のインタフェースを介して接続可能である。なお、検索手段としてのホストコンピュータ１３と携帯端末８とは、無線ＬＡＮを介して接続されている。
【００３１】
棚札の発行に必要な商品情報は、第一の実施の形態と同様、携帯端末８を用いてホストコンピュータ１３より入手し、取得した商品情報データを携帯端末８からラベルプリンタ２０に転送する。棚札のフォーマットデータは、フォーマット情報ファイル１６がラベルプリンタ２０内に保存されている場合は携帯端末８から指定コマンドを送るだけでよいし、そうでない場合には携帯端末８からフォーマット情報ファイル１６を商品データと共に転送する。
【００３２】
本実施の形態は以上の如きもので、ラベルプリンタとして店員が携行可能な携帯型のものを用いたことにより、棚札が必要な棚の前で即時に必要な棚札を入手することができる。従って、据置型のラベルプリンタを使用する場合に比べ、印字発行後の棚札を取り違える危険性を解消でき、作業時間の節約にもなる。
【００３３】
次に、棚札発行方法に係る実施の形態について説明する。
【００３４】
店員が店内で携行可能な携帯端末８を持って店内を巡回し、落札（棚札が紛失している状態）を発見したり、棚替えの必要を認識し、新たなフォーマットの棚ラベルが必要になったとする。このとき、該携帯端末８にて商品４に付された商品ラベル１４の商品コード１４Ａ（ディジタルコード）を読み取る工程がまずある。
【００３５】
次いで、前記商品コード１４Ａに基づいて、ホストコンピュータ１３の商品マスターファイル１５から少なくとも商品名、価格を含む商品情報を検索する商品情報検索工程がある。
【００３６】
次いで、前記携帯端末８にて印字発行する棚札のフォーマット情報を複数の候補（フォーマット情報ファイル１６）から選択する工程がある。
【００３７】
次いで、選択したフォーマット情報と前記商品情報とを組み合わせてラベルプリンタ２０に転送し、目的のフォーマットで棚札を印字発行する棚札発行工程がある。ここで、前述したように、フォーマット情報ファイル１６がラベルプリンタ２０中に保存されていればフォーマット情報を指定するコマンドだけをラベルプリンタ２０に転送すればよいし、フォーマット情報ファイル１６がラベルプリンタ２０中に保存されていなければフォーマット情報ファイルそのものをラベルプリンタ２０に転送することになる。
【００３８】
尚、本発明の実施の形態は、上述の図示例にのみ限定されるものではなく、本発明の要旨を逸脱しない範囲内において種々変更を加え得ることは勿論である。
【図面の簡単な説明】
【００３９】
【図１】本発明の実施の形態に係る棚札発行システムが使用される店舗の上面図である。
【図２】本発明の実施の形態に係る大、中、小のフォーマットに係る棚札の印字見本である。
【図３】本発明の第一の実施の形態に係る棚札発行システムの構成例である。
【図４】本発明の第二の実施の形態に係る棚札発行システムの構成例である。
【図５】商品の陳列棚と棚札を示す説明図である。
【符号の説明】
【００４０】
１…陳列棚、２…棚板、４…商品、８…携帯端末、９…ラベルプリンタ、１０，１１，１２…棚札（棚ラベル）、１３…ホストコンピュータ（商品情報検索手段）、１４…値札、１５…商品マスターファイル、１６…フォーマット情報ファイル、２０…携帯型ラベルプリンタ
【図１】
2007038411.tif 000003
【図２】
2007038411.tif 000004
【図３】
2007038411.tif 000005
【図４】
2007038411.tif 000006
【図５】
2007038411.tif 000007